【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
遊技動作を制御する制御ＣＰＵと、
第１の条件の成立に基づいて第１の値を計測する第１計測手段と、
第２の条件の成立に基づいて第２の値を計測する第２計測手段と、
少なくとも前記第１の値及び前記第２の値に基づいて、遊技に供する遊技価値に関する所定の情報を算出する算出手段と、
前記制御ＣＰＵによって制御され、前記所定の情報を表示可能な第１表示手段と、
遊技者に有利な特別遊技状態であるか否かを表示する第２表示手段と、
前記第１表示手段、又は、前記第２表示手段の表示を行う表示制御手段と、を備え、
前記制御ＣＰＵと、前記第１表示手段と、前記表示制御手段とは、同一基板上に配置されると共に、
前記基板の中心点を通る中心線を基準として該基板を第１の領域と第２の領域に分けた際、前記制御ＣＰＵは、前記第１の領域に配置され、且つ、前記第１表示手段は、前記第１の領域と相反する前記第２の領域に配置され、さらに、前記表示制御手段は、前記第１表示手段よりも前記中心点側に配置され、
前記第１表示手段は、複数の７セグメントで構成され、
前記複数の７セグメントに、前記算出手段にて算出した遊技価値の割合を表示するにあたって、割込み処理が実行される所定時間毎に、１個の７セグメントを点灯又は消灯表示していき、前記複数の７セグメントに、前記算出手段にて算出した遊技価値の割合を表示し、
前記制御ＣＰＵから前記第１表示手段へと出力される第１コモンデータ信号と、前記制御ＣＰＵから前記第２表示手段へと出力される第２コモンデータ信号とが、共通の出力回路から出力されるように設定されてなる遊技機。
【手続補正２】
【補正対象書類名】明細書
【補正対象項目名】０００４
【補正方法】変更
【補正の内容】
【０００４】
ところで、近年、上記のような入賞数や賞球数（所定の遊技価値の払出し数）等に基づく性能内容を確認したいという要望が高まってきている。
【手続補正３】
【補正対象書類名】明細書
【補正対象項目名】０００５
【補正方法】変更
【補正の内容】
【０００５】
しかしながら、上記のような遊技機は、入賞数や賞球数（所定の遊技価値の払出し数）或いは役物の動作に基づく性能内容（ベース、役物比率等）を確認することができないという問題があった。そこで、そのような性能内容を確認することができる表示装置を基板上に設けることが考えられる。しかしながら、単に、表示装置を基板上に設けただけでは、ノイズが発生し、もって、表示装置が正常に表示されない可能性があるという問題があった。
【手続補正４】
【補正対象書類名】明細書
【補正対象項目名】０００８
【補正方法】変更
【補正の内容】
【０００８】
請求項１の発明に係る遊技機によれば、遊技動作を制御する制御ＣＰＵ（例えば、図７に示すワンチップマイクロコンピュータ６００）と、
第１の条件の成立に基づいて第１の値を計測する第１計測手段（例えば、図２５に示すステップＳ１７３、ステップＳ１７６、ステップＳ１７９）と、
第２の条件の成立に基づいて第２の値を計測する第２計測手段（例えば、図２５に示すステップＳ１８４）と、
少なくとも前記第１の値及び前記第２の値に基づいて、遊技に供する遊技価値に関する所定の情報を算出する算出手段（例えば、図２６に示すステップＳ２１２、ステップＳ２１３）と、
前記制御ＣＰＵ（例えば、図７に示すワンチップマイクロコンピュータ６００）によって制御され、前記所定の情報を表示可能な第１表示手段（例えば、図７に示す計測表示装置６１０）と、
遊技者に有利な特別遊技状態であるか否かを表示する第２表示手段（例えば、図５に示す特別図柄表示装置５０）と、
前記第１表示手段（例えば、図７に示す計測表示装置６１０）、又は、前記第２表示手段（例えば、図５に示す特別図柄表示装置５０）の表示を行う表示制御手段（例えば、図７に示すＬＥＤドライバ６１１ａ）と、を備え、
前記制御ＣＰＵ（例えば、図７に示すワンチップマイクロコンピュータ６００）と、前記第１表示手段（例えば、図７に示す計測表示装置６１０）と、前記表示制御手段（例えば、図７に示すＬＥＤドライバ６１１ａ）とは、同一基板（例えば、図７に示す主制御基板６０）上に配置されると共に、
前記基板（例えば、図７に示す主制御基板６０）の中心点（例えば、図７に示す中心点Ｏ）を通る中心線（例えば、図７に示す中心線Ｏ２）を基準として該基板（例えば、図７に示す主制御基板６０）を第１の領域と第２の領域に分けた際、前記制御ＣＰＵ（例えば、図７に示すワンチップマイクロコンピュータ６００）は、前記第１の領域に配置され、且つ、前記第１表示手段（例えば、図７に示す計測表示装置６１０）は、前記第１の領域と相反する前記第２の領域に配置され、さらに、前記表示制御手段（例えば、図７に示すＬＥＤドライバ６１１ａ）は、前記第１表示手段（例えば、図７に示す計測表示装置６１０）よりも前記中心点（例えば、図７に示す中心点Ｏ）側に配置され、
前記第１表示手段（例えば、図７に示す計測表示装置６１０）は、複数の７セグメントで構成され、
前記複数の７セグメントに、前記算出手段（例えば、図２６に示すステップＳ２１２、ステップＳ２１３）にて算出した遊技価値の割合を表示するにあたって、割込み処理が実行される所定時間毎に、１個の７セグメントを点灯又は消灯表示していき、前記複数の７セグメントに、前記算出手段（例えば、図２６に示すステップＳ２１２、ステップＳ２１３）にて算出した遊技価値の割合を表示し（明細書段落［０２２２］参照）、
前記制御ＣＰＵ（例えば、図７に示すワンチップマイクロコンピュータ６００）から前記第１表示手段（例えば、図７に示す計測表示装置６１０）へと出力される第１コモンデータ信号（例えば、図９に示す計測表示装置用ＬＥＤダイナミック点灯コモンデータ信号６１１ａ３）と、前記制御ＣＰＵ（例えば、図７に示すワンチップマイクロコンピュータ６００）から前記第２表示手段（例えば、図５に示す特別図柄表示装置５０）へと出力される第２コモンデータ信号（例えば、図９に示す特別図柄表示装置用ＬＥＤダイナミック点灯コモンデータ信号６１１ａ２）とが、共通の出力回路（例えば、図９に示すＬＥＤドライバ６１１ａ）から出力されるように設定されてなることを特徴としている。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】０２４０
【補正方法】変更
【補正の内容】
【０２４０】
１                      パチンコ遊技機
４１                    液晶表示装置
４４                    特別図柄１始動口
４４ａ                  特別図柄１始動口スイッチ
４５                    特別図柄２始動口
４５ａ                  特別図柄２始動口スイッチ
４６                    入賞装置
４６ｃ                  大入賞口スイッチ
４８                    一般入賞口
４８ａ                  右上一般入賞口
４８ａ１                右上一般入賞口スイッチ
４８ｂ                  左上一般入賞口
４８ｂ１                左上一般入賞口スイッチ
４８ｃ                  左中一般入賞口
４８ｃ１                左中一般入賞口スイッチ
４８ｄ                  左下一般入賞口
４８ｄ１                左下一般入賞口スイッチ
４９ａ                  アウト口スイッチ
５０                    特別図柄表示装置（第２表示手段）
６０                    主制御基板（基板）
６００                  ワンチップマイクロコンピュータ（制御ＣＰＵ）
６００ａ                主制御ＣＰＵ
６００ｂ                主制御ＲＯＭ
６００ｃ                主制御ＲＡＭ
６０１ｆ                ８ビットのデータ信号
６０１ｅ                クロック信号
６１０                  計測表示装置（第１表示手段）
６１１ａ                ＬＥＤドライバ（表示制御手段、出力回路）
６１１ａ２              特別図柄表示装置用ＬＥＤダイナミック点灯コモンデータ信号（第２コモンデータ信号）
６１１ａ３              計測表示装置用ＬＥＤダイナミック点灯コモンデータ信号（第１コモンデータ信号）
６２０                  設定表示装置
ＲＯ_ＣＮＴ              累積アウトカウンタ
ＴＲＯ_ＣＮＴ            低確累積アウトカウンタ
ＲＳ_ＣＮＴ              累積賞球カウンタ
ＹＲＳ１_ＣＮＴ          第１役物累積賞球カウンタ
ＹＲＳ２_ＣＮＴ          第２役物累積賞球カウンタ
Ｏ                        中心点
Ｏ２                      中心線